(57)【要約】      （修正有）【課題】包装容器としての本来の機能を発揮させながら、且つ時系列的に遅れることなく同時期において、包装容器の一部を利用した模型の組み立てができるティッシュボックスを提供する。【解決手段】箱体１０の内部にティッシュペーパーを収容し、箱体に設けたティッシュペーパー取出口からティッシュペーパーを取り出すことができるようにしたティッシュボックスであって、箱体１０乃至複数の箱面１０ａ、１０ｂに、模型組み立て用の展開図形を表示すると共にその展開図形を内包する切離領域Ａを表示し、且つ切離領域を表示した箱面は、裏側に第２のシート２０を配置して２重構造とし、切離領域を箱面から切り離したときに第２のシートで内部が保護される構成としている。【選択図】図１
0003201777.tif 000002
【実用新案登録請求の範囲】
【請求項１】
箱体の内部にティッシュペーパーを収容し、箱体に設けたティッシュペーパー取出口からティッシュペーパーを取り出すことができるようにしたティッシュボックスであって、前記箱体の１乃至複数の箱面に、模型組み立て用の展開図形を表示すると共にその展開図形を内包する切離領域を表示し、且つ切離領域を表示した箱面は、その箱面の裏側に第２のシートを配置して２重構造とし、前記切離領域を箱面から切り離したときに前記第２のシートで内部が保護される構成としていることを特徴とするティッシュボックス。
【請求項２】
少なくとも箱体の上面を構成する箱上面に展開図形を表示し、箱上面の裏側に透明シートからなる第２のシートを配置して、且つ透明シートからなる第２のシートにスリットを設けてティッシュペーパー取出口としていることを特徴とする請求項１に記載のティッシュボックス。
【請求項３】
１つの箱体の複数の箱面に、組み立て模型を構成する各パーツの全ての展開図形を表示し、それらの１つの箱体に表現された展開図形を切り離し、組み立てることで、１つの組立模型が完成するように構成してあることを特徴とする請求項１又は２に記載のティッシュボックス。
【請求項４】
切離領域は、その外形を切り離し容易な線からなる切離線で構成し、展開図形は、その外形を切り離し容易な線からなる切離線で構成すると共に折り曲げ容易な線からなる折曲線、糊シロ、その他の組み立て指示情報からなることを特徴とする請求項１〜３の何れかに記載のティッシュボックス。
【考案の詳細な説明】
【技術分野】
【０００１】
本考案はティッシュボックスに関する。
【背景技術】
【０００２】
菓子を収容した菓子箱等の収納箱は、厚手の紙を用いたものが多いが、内容物がなくなると空箱となって、そのまま廃棄される場合が多い。このため、それら空箱の再利用が考えられるところである。
一方、ティッシュペーパーを内部に収め、取出口から１枚１枚取り出すことができるようにしたティッシュボックスが従来から知られている。このティッシュボックスの多くは少し厚めの紙箱で作られている。
【先行技術文献】
【特許文献】
【０００３】
【特許文献１】実用新案登録第３０４１１７７号公報
【特許文献２】実用新案登録第３０５５１９２号公報
【考案の概要】
【考案が解決しようとする課題】
【０００４】
上記特許文献１には、厚紙製の菓子包装容器の蓋（４）に折紙式組立模型の展開部品（５）を形成した菓子包装用容器が開示されている。この菓子包装用容器は蓋（４）に形成された展開部品（５）を切り離し、組み立てることで、組立模型を組み立てることができる。従って、菓子包装容器をその本来の目的とは別の目的にも利用することができる効果、有用性を備えていると言える。
しかしながら菓子包装容器の蓋（４）から展開部品（５）を切り離してしまうと、その蓋（４）のかなりの面積が失われて開口となる、内部に収容されている菓子が切り離された大きな開口から外部に晒され、また飛び出る等、蓋としての役割を十分に果たせなくなる問題ある。
即ち、この特許文献１の考案では、菓子包装という本来の機能と、展開部品による模型組み立てという第２の機能とを、同時に良好に発揮させることはできないのである。
また上記特許文献２には、箱の底面や側面に切取図形（３）が描かれた包装箱及びそのセットが開示されている。
しかしながら、この特許文献２の考案の場合も、上記下特許文献１の考案と同様に、切取図形（３）を切り取ってしまうと、内容物（６）の包装という本来の機能を十分に全うすることができなくなる。一方、内容物（６）の包装機能を全うしようとする場合には、切取図形（３）の切り取りを、内容物（６）が無くなるまで待たなければならない。
以上から明らかなように、特許文献１の考案も特許文献２の考案も、包装容器の本来の機能（目的）と第２の機能（目的）とを同時に全うすることは難しく、実際には、本来の機能である包装機能を全うし終わった後に、空箱の再利用として第２の機能である組立模型の切り取り、組み立てを行うという時系列の中で効果を奏するにすぎないものである。
【０００５】
そこで本考案は上記従来技術の問題を解消し、包装容器としての本来の機能を十分に発揮させながら、且つ時系列的に遅れることなく同時期において、第２の機能である包装容器の一部を利用した模型の組み立てができるティッシュボックスの提供を課題とする。
【課題を解決するための手段】
【０００６】
本考案のティッシュボックスは、箱体の内部にティッシュペーパーを収容し、箱体に設けたティッシュペーパー取出口からティッシュペーパーを取り出すことができるようにしたティッシュボックスであって、前記箱体の１乃至複数の箱面に、模型組み立て用の展開図形を表示すると共にその展開図形を内包する切離領域を表示し、且つ切離領域を表示した箱面は、その箱面の裏側に第２のシートを配置して２重構造とし、前記切離領域を箱面から切り離したときに前記第２のシートで内部が保護される構成としていることを第１の特徴としている。
また本考案のティッシュボックスは、上記第１の特徴に加えて、少なくとも箱体の上面を構成する箱上面に展開図形を表示し、箱上面の裏側に透明シートからなる第２のシートを配置して、且つ透明シートからなる第２のシートにスリットを設けてティッシュペーパー取出口としていることを第２の特徴としている。
また本考案のティッシュボックスは、上記第１又は第２の特徴に加えて、１つの箱体の複数の箱面に、組立模型を構成する各パーツの全ての展開図形を表示し、それらの１つの箱体に表現された展開図形を切り離し、組み立てることで、１つの組立模型が完成するように構成してあることを第３の特徴としている。
また本考案のティッシュボックスは、上記第１〜第３の何れかの特徴に加えて、切離領域は、その外形を切り離し容易な線からなる切離線で構成し、展開図形は、その外形を切り離し容易な線からなる切離線で構成すると共に折り曲げ容易な線からなる折曲線、糊シロ、その他の組み立て指示情報からなることを第４の特徴としている。
【考案の効果】
【０００７】
請求項１に記載のティッシュボックスによれば、ティッシュボックスの箱体の箱面から切離領域を切り離し、更にその切り離した切離領域から模型組み立て用の展開図形を切り離すことで、模型組み立ての準備ができる。よって得られた展開図形を用いて模型を組み立てることができる。
一方、前記切離領域を表示した箱面は、その裏側に第２のシートが配置されて２重構造となされており、前記切離領域が箱面から切り離された後も、箱内部のティッシュペーパーは第２のシートで引き続き保護され、ティッシュボックスとしての機能を全うすることができる。即ち、ティッシュペーパーの箱体内での保持、供給、ゴミやホコリの箱体内への侵入等を防止することができる。
請求項１のティッシュボックスによれば、ティッシュボックスの廃物利用ではなく、ティッシュボックスとしての機能を現に発揮させながら、同時的に模型組み立ての欲求も遅れることなく満たすことができる効果が大きい。
【０００８】
請求項２に記載のティッシュボックスによれば、上記請求項１に記載の構成による作用効果に加えて、箱上面に模型組み立て用の展開図形を表示することで、比較的広い面積の箱上面を利用した広面積の展開図を模型組み立てに利用することができる。そして箱上面の裏側は透明シートからなる第２のシートで２重構造とし、且つその透明シートにスリットを設けてティッシュペーパー取出口としているので、箱上面の展開図を切り離した後は、透明の第２シートを介して箱体内部のティッシュペーパーの減り具合等の状態が観察できると共に、透明シートに設けたスリットからティッシュペーパーを次々と取り出すことができる。しかも、透明シートの上に２重構造として存在する箱上面は、該切離領域を切り離すまでは、新品であるティッシュボックスの封を切る前の蓋としての役割も果たすことができる。
【０００９】
請求項３に記載のティッシュボックスによれば、上記請求項１又は２に記載の構成による作用効果に加えて、ティッシュボックスの１つの箱体の複数の箱面に、組立模型を構成する各パーツの全ての展開図形を表現し、それらの１つの箱体に表現された展開図形を切り離して組み立てることで、１つの組立模型が完成するように構成しているので、ティッシュボックス毎に１つの模型を組み立てて楽しむことができる。
【００１０】
請求項４に記載のティッシュボックスによれば、上記請求項１〜３の何れかに記載の構成による作用効果に加えて、切離領域は、その外形を切り離し容易な切離線で構成し、また展開図形は、その外形を、同様に切り離しが容易な切離線で構成し、更に折曲線、糊シロ、その他の組み立て指示情報からなるので、切離領域や展開図形を容易に切り離すことができると共に、展開図形に表示された指示情報にしたがって容易に模型の組み立てを行うことができる。
【図面の簡単な説明】
【００１１】
【図１】本考案の実施形態に係るティッシュボックスの全体斜視図である。
【図２】本考案の実施形態に係るティッシュボックスの一部破断平面図である。
【図３】本考案の実施形態に係るティッシュボックスの展開図である。
【図４】本考案の実施形態に係るティッシュボックスに表現された展開図形を切り離し、組み立てた模型の例を示す斜視図である。
【考案を実施するための形態】
【００１２】
以下、図面を参照して、本考案の実施形態に係るティッシュボックスを説明し、本考案の理解に供する。しかし、以下の説明は本考案の実用新案登録請求の範囲に記載の範囲を限定するものではない。
【００１３】
先ず図１、図２を参照して、図１には本考案の実施形態に係るティッシュボックス１が示されている。なお、図１、図２には後述する展開図形Ｘを省略している。
ティッシュボックス１の箱体１０は、箱上面１０ａ、箱下面１０ｂ、及び４つの箱側面からなる直方体形状に構成されている。箱上面１０ａとそれに対応する箱下面１０ｂの面積は他の箱側面面積よりも広く構成して、ティッシュペーパーを収容し易くしている。
箱体１０は適当な厚紙で構成されている。
【００１４】
本実施形態において、前記箱体１０の上面である箱上面１０ａと、箱体１０の下面である箱下面１０ｂには、その紙面に切離領域Ａ（Ａ１、Ａ２、Ａ３）が表示されている。箱上面１０ａの切離領域Ａ１は必ず設けることになるが、箱下面１０ｂの切離領域Ａ２、Ａ３や箱側面については、切離領域を設けても設けなくてもよい。
箱上面１０ａの切離領域Ａ１は、後述するティッシュペーパー取出口２１との関係で必須となり、且つ広面積のものを１つ構成するのが好ましい。
箱下面１０ｂの切離領域Ａ２、Ａ３は、本実施形態では２領域に分けて設けている。しかし、これに限定されるものではない。
【００１５】
前記切離領域Ａ（Ａ１、Ａ２、Ａ３）の外形は切離線１１（１１ａ、１１ｂ、１１ｃ）で表示される。即ち、切離線１１（１１ａ、１１ｂ、１１ｃ）で境界される内側が切離領域Ａ（Ａ１、Ａ２、Ａ３）である。
前記切離線１１は、破線、一点鎖線等からなる切り込みを入れた線、その他の切り離し容易な線から構成され、箱面１０ａ、１０ｂから容易に切り離すことができるようにしている。
箱上面１０ａの切離線１１ａは、箱上面１０ａの周辺よりも内側に適当な余白を置いた位置に設ける。同様に、箱下面１０ｂの切離線１１ｂ、１１ｃも箱下面１０ｂの周辺よりも内側の位置に設けられている。
切離領域Ａ１、Ａ２、Ａ３を箱面１０ａ、１０ｂの周辺よりも内側に設けることで、その間の余白に後述する第２のシート２０の貼り付け用の糊シロ面を構成することができる。これにより箱面１０ａ、１０ｂの裏側に第２のシート２０を貼り付けて２重構造に配置するのが容易となる。
【００１６】
図３も参照して、前記切離領域Ａ１、Ａ２、Ａ３には、その切離線１１（１１ａ、１１ｂ、１１ｃ）で囲まれる領域内に、模型組み立て用の展開図形Ｘ（Ｘ１、Ｘ２、Ｘ３、Ｘ４、Ｘ５、Ｘ６）を内包して表示している。
この展開図形Ｘは各切離領域Ａ１、Ａ２、Ａ３内に１個若しくは複数個を表示することができる。
展開図形Ｘは、その外形を切離線１２で構成している。この切離線１２は、上記切離領域Ａの切離線１１の場合と同様に、破線、一点鎖線等からなる切り込みを入れた線、その他の切り離し容易な線で構成され、箱面１０ａ、１０ｂから容易に切り離すことができるようにしている。
また展開図形Ｘには、折り曲げ容易な線からなる折曲線１３や糊シロ、その他の組み立て指示情報を表示することができる。
なお、図３に示す１つの箱体１０には、組立模型の各パーツの全ての展開図形Ｘ（Ｘ１〜Ｘ６）を表示するものとし、この全ての展開図形Ｘを、切り離して組み立てることで、図４に示す１体のロボットの立体模型を組み立てることができる。
勿論、展開図形Ｘはロボット模型に限定されるものではなく、他の種々の種類の模型の展開図形であってもよい。
なお、図３では図４における絵柄や色の線は省略している。
【００１７】
図１、図２を参照して、切離領域Ａ（Ａ１、Ａ２、Ａ３）を有する箱体１０の箱面１０ａ、１０ｂは、その箱面１０ａ、１０ｂの裏側に第２のシート２０を配置して２重構造としている。
第２のシート２０は、その周縁２０ａが前記切離領域Ａの切離線１１（１１ａ、１１ｂ、１１ｃ）を越えた位置に達する大きさとし、該第２のシート２０を前記切離線１１（１１ａ、１１ｂ、１１ｃ）の外側にある箱面１０ａ、１０ｂの裏側で糊付け等して固着させている。
なお、箱上面１０ａには１つの切離領域Ａ１が設けられ、それに対する１枚の第２のシート２０が箱上面１０ａの裏側に配置されて２重構造とされている。一方、箱下面１０ｂには２つの切離領域Ａ２、Ａ３が設けられ、それに対する２枚の第２のシート２０が箱下面１０ｂの裏側に配置されて２重構造とされている。
前記箱上面１０ａの裏側に配置された第２のシート２０には、その中央付近に箱体１０の長手方向にスリットが切り込まれてティッシュペーパー取出２１とされている。
上記のように２重構造に構成することで、箱体１０から切離領域Ａ（Ａ１、Ａ２、Ａ３）を切り離すと、第２のシート２０が現れる。そしてその第２のシート２０は前記切り離された箱体１０の空間部分を引き続き覆った状態に維持し、箱体１０内部を保護する。
箱上面１０ａの切離領域Ａが切り離された後は、下から現れた第２のシート２０に構成されたスリットからなるティッシュペーパー取出口２１から自在にティッシュペーパーを取り出し、実際のティッシュボックスとしての使用に供することができる。
【００１８】
前記第２のシート２０は樹脂シートからなる透明シートで構成することができる。ここで透明とは、半透明を含むものと定義する。透明シートとするのは、箱上面１０ａの裏側に配置された第２のシート２０だけとし、他の第２のシート２０は不透明のシートとすることができる。透明シートとすることで、該透明シートを介して箱体１０の内部のティッシュペーパーの残量等の状態がわかる。
【００１９】
以上より、本考案の実施形態に係るティッシュボックスによれば、ティッシュボックスとしての使用が終了するのを待つことなく、当初からティッシュボックスの箱面を用いて組立模型を組み立てることができる。よって購買者にティッシュボックスの箱面に表示された模型の早期組み立ての欲求を十分に満たすことができる。
【産業上の利用可能性】
【００２０】
本考案のティッシュボックスは、家庭でのティッシュペーパーの供給に供するものとして、同時に組立模型を供給するものとして、産業上の利用可能性が大きい。
【符号の説明】
【００２１】
１            ティッシュボックス
１０          箱体
１０ａ        箱上面
１０ｂ        箱下面
１１          切離線
１１ａ        切離線
１１ｂ        切離線
１１ｃ        切離線
１２          切離線
１３          折曲線
２０          第２のシート
２０ａ        周縁
２１          ティッシュペーパー取出口
Ａ            切離領域
Ａ１          切離領域
Ａ２          切離領域
Ａ３          切離領域
Ｘ            展開図形
Ｘ１          展開図形
Ｘ２          展開図形
Ｘ３          展開図形
Ｘ４          展開図形
Ｘ５          展開図形
Ｘ６          展開図形
【図１】
0003201777.tif 000003
【図２】
0003201777.tif 000004
【図３】
0003201777.tif 000005
【図４】
0003201777.tif 000006